(57)【要約】【課題】マイクロＵＳＢコネクタと互換性を有するシャッター付き電気コネクタを提供する。【解決手段】マイクロＵＳＢプラグの挿入に従ってシャッター４０は嵌合部６０内を移動し、マイクロＵＳＢプラグが抜かれる時には、シャッター４０が嵌合部６０の正面側にスプリング５０によって復帰させる。【選択図】図９
2013251250.tif 000002
【特許請求の範囲】
【請求項１】
ターミナル（２０）を設けたハウジング（１０）にシールド（３０）を組み付け、
マイクロＵＳＢプラグが挿入される嵌合部（６０）にスプリング（５０）を係合したシャッター（４０）を設け、
マイクロＵＳＢプラグの挿入に従ってシャッター（４０）は嵌合部（６０）内を移動し、
マイクロＵＳＢプラグが抜かれる時には、シャッター（４０）が嵌合部（６０）の正面側にスプリング（５０）によって復帰することを特徴とするマイクロＵＳＢコネクタと互換性を有するシャッター付き電気コネクタ。
【請求項２】
シャッター（４０）の少なくとも正面側が彩色されていることを特徴とする請求項１記載のシャッター付き電気コネクタ。
【請求項３】
マイクロＵＳＢプラグが未挿入の状態では、シャッター（４０）は嵌合部（６０）を完全に覆わずに正面側端部（６１）から沈み込んだ状態であることを特徴とする請求項１記載のシャッター付き電気コネクタ。
【発明の詳細な説明】
【技術分野】
【０００１】  本発明は、回路基板に実装され、相手コネクタと嵌合して電気信号の伝達する電気コネクタに関する。
【背景技術】
【０００２】  特許文献１には、金属ケーシングとプラスチック芯とを備え、前記金属ケーシングは、プレス加工により前後に開口部を備えた金属台に形成され、前記プラスチック芯を収納して結合し、後側開口部の選定された側壁に第一係止部を設け、前記後側開口部の選定された側壁に延伸係止アームを設け、前記プラスチック芯は、絶縁体により形成され、複数の端子ピンを埋め込み、前記プラスチック芯の選定された端面に前記金属ケーシングの前記第一係止部に対応する第二係止部を設け、前記金属ケーシング及び前記プラスチック芯は、前記プラスチック芯を前記金属ケーシングに収容するとき、前記第一係止部と前記第二係止部とを係止して、前記延伸係止アームを折り曲げ、前記プラスチック芯を囲い込んで係止することを特徴とするマイクロ型ユニバーサルシリアルバスコネクタ（以下、「マイクロＵＳＢコネクタ」と言う）が記載されている。
【先行技術文献】
【特許文献】
【０００３】
【特許文献１】実用新案登録第３１４１３５１号公報
【発明の概要】
【発明が解決しようとする課題】
【０００４】  先行技術文献に示されたマイクロＵＳＢコネクタには以下の課題がある。
（１）コンタクト（端子ピン）が開口部に露出しているため、開口部から入り込んだ異物により汚損することがある。
（２）セット筐体の平面に対して、マイクロＵＳＢコネクタの開口部が大きく凹んでいるため、開口部の内側が覗けてしまい、セットのデザインとの統一感や高級感を損なうことがある。【０００５】  本発明は、上記の点を鑑みてなされたものであり、以下の電気コネクタを提供することを目的とする。
（１）異物の侵入を防ぐ。
（２）セットのデザインと電気コネクタの一体感や高級感を実現する。
（３）マイクロＵＳＢコネクタとの互換性を確保する。
【課題を解決するための手段】
【０００６】  本発明のシャッター付き電気コネクタは、ターミナル２０を設けたハウジング１０にシールド３０を組み付け、マイクロＵＳＢプラグが挿入される嵌合部６０にスプリング５０を係合したシャッター４０を設け、マイクロＵＳＢプラグの挿入に従ってシャッター４０は嵌合部６０内を移動し、マイクロＵＳＢプラグが抜かれる時には、シャッター４０が嵌合部６０の正面側にスプリング５０によって復帰することを特徴とするマイクロＵＳＢコネクタと互換性を有するシャッター付き電気コネクタとする。
【発明の効果】
【０００７】  本発明によれば、以下の電気コネクタが実現される。
（１）異物の侵入を防ぐことができる。
（２）セットのデザインと電気コネクタの一体感や高級感を実現できる。
（３）マイクロＵＳＢコネクタとの互換性を確保できる。
（４）シャッターを若干沈み込ませることにより段差が生じ、その段差によってマイクロＵＳＢプラグを受け入れ易くする共に、挿入部の目安となり、使用者に安心感を与えることができる。
【図面の簡単な説明】
【０００８】
【図１】電気コネクタの正面図
【図２】電気コネクタの平面図
【図３】電気コネクタの右側面図
【図４】電気コネクタの左側面図
【図５】電気コネクタの背面図
【図６】電気コネクタの底面図
【図７】電気コネクタの正面側上方から見た斜視図
【図８】電気コネクタの背面側下方から見た斜視図
【図９】電気コネクタのＡ−Ａ線断面図
【図１０】電気コネクタのＢ−Ｂ線断面図＜シャッターが閉じた状態＞
【図１１】電気コネクタのＢ−Ｂ線断面図
【図１２】電気コネクタのＣ−Ｃ線断面図＜シャッターが閉じた状態＞
【発明を実施するための形態】
【０００９】  実施の形態を、図１〜図１２に基づいて説明する。
図９に示す通り、本発明の電気コネクタ１は、ハウジング１０と、ターミナル２０と、シールド３０と、シャッター４０と、スプリング５０で構成されている。
【００１０】  ターミナル２０は、黄銅等の導電体をプレス加工したものである。
ターミナル２０には、相手方のマイクロＵＳＢプラグ（図示しない）のコンタクトと電気的に接続するコンタクト部２１と、回路基板に半田付けされる端子部２２が形成され、表面は金メッキ処理されている。
【００１１】  ハウジング１０は、ポリアミド等を成形加工した絶縁体である。
本実施の形態では、ハウジング１０とターミナル２０はインサート成形されている。
ハウジング１０には、コンタクト部２１が５本並列で露出した接続部１１と、スプリング５０を係合する凸部１２がある。
なお、コンタクト部２１は、マイクロＵＳＢコネクタと互換性を有するよう０．６５ｍｍの間隔で設定されている。
ハウジング１０の背面側には、端子部２２が整列している。
【００１２】  シールド３０は、ステンレス等の導電体をプレス加工したものであり、表面はスズメッキ処理されている。
シールド３０には、スリット３１と、加締部３２と、回路基板に半田付けされる端子部３３がある。
シールド３０は、ハウジング１０に組み付けられ、マイクロＵＳＢプラグが挿入される嵌合部６０を形成している。
なお、嵌合部６０はマイクロＵＳＢコネクタと互換性を有している。
【００１３】  シャッター４０は、ポリアミド等を成形加工した絶縁体である。
シャッター４０には、ストッパー部４１と、スプリング５０を係合する凹部４２がある。
シャッター４０は、セットのデザインとの観点で彩色されてもよい。その場合、少なくとも正面側が色づけされればよいが、着色された成型材料を使用してもよい。
【００１４】  スプリング５０は、ステンレス鋼等を加工したコイルバネである。
スプリング５０の一端は、ハウジング１０の凸部１２に係合され、他端はシャッター４０の凹部４２に係合されている。
【００１５】  次に組立方を説明する
シャッター４０をシールド３０の背面側から挿入する。
ストッパー部４１がスリット３１に係合させる。
ストッパー部４１は、マイクロＵＳＢプラグが挿入された際にスリット３１に沿って摺動するガイドとして設定されていると共に、マイクロＵＳＢプラグが抜かれた時に、シャッター４０が正面側に脱落しないように設定されている。
２本のスプリング５０をハウジング１０の２カ所の凸部１２に組み込む。
スプリング５０が凹部４２に係合するようにしてハウジング１０をシールド３０に組み付ける。
加締部３２と端子部３３をハウジング１０沿うようにして折り曲げ、シールド３０とハウジング１０を固定する。
【００１６】  この様にして組み立てられた本発明の電気コネクタは、マイクロＵＳＢプラグが未挿入の時には、図１０の様にシャッター４０がスプリング５０で押されて閉じた状態になっているが、マイクロＵＳＢプラグの挿入に従ってシャッター４０は嵌合部６０を移動して図１１の様にスプリング５０は圧縮される。
なお、本実施の形態において、マイクロＵＳＢプラグが未挿入の状態では、シャッター４０は嵌合部６０を完全に覆ってはおらず、正面側端部６１から１．１ｍｍ沈み込んだ状態で設定されている。
この様にシャッター４０を若干沈み込ませることにより段差が生じ、その段差によってマイクロＵＳＢプラグを受け入れ易くする効果があると共に、挿入部の目安となるので使用者に安心感を与える効果がある。
また、シャッター４０の移動量は沈み込ませた分だけ少なくなるので、正面側端部６１から背面側に向かっての奥行きを短くすることができ、小型化できる。
【符号の説明】
【００１７】１        電気コネクタ
１０      ハウジング
１１      接続部
１２      凸部
２０      ターミナル
２１      コンタクト部
２２      端子部
３０      シールド
３１      スリット
３２      加締部
３３      端子部
４０      シャッター
４１      ストッパー部
４２      凹部
５０      スプリング
６０      嵌合部
６１      正面側端部
【図１】
2013251250.tif 000003
【図２】
2013251250.tif 000004
【図３】
2013251250.tif 000005
【図４】
2013251250.tif 000006
【図５】
2013251250.tif 000007
【図６】
2013251250.tif 000008
【図７】
2013251250.tif 000009
【図８】
2013251250.tif 000010
【図９】
2013251250.tif 000011
【図１０】
2013251250.tif 000012
【図１１】
2013251250.tif 000013
【図１２】
2013251250.tif 000014